(57)【特許請求の範囲】
【請求項１】
既設の枠材の表面を覆うように設けられる枠カバーであって、
前記枠材の一方の見込面を覆うように配される見込片部及び該枠材の一方の見付面を覆うように配される見付片部を有した第１カバーと、前記枠材の他方の見込面を覆うように配される見込片部及び前記第１カバーの見付片部を覆うように配される見付片部を有した第２カバーと、を備えており、
前記第２カバーの見付片部の裏面には、見付方向に間隔を空けて複数本の切断補助溝が設けられており、
前記第１カバーにおける見込片部と見付片部との出隅部には、前記第２カバーの見付片部の先端部が突き合わせられる突出部が見込方向に突出するように設けられており、
前記突出部は、見付方向に向く両側面のうちの一方面が前記第１カバーの見込片部の表面と同一平面状とされ、他方面が前記一方面に平行状の平坦面とされ、突出方向先端面が前記第１カバーの見付片部の表面と平行状とされ、かつ見付方向に沿う寸法が前記第１カバーの見込片部の厚さ寸法と同寸法とされていることを特徴とする枠カバー。
【請求項２】
請求項１において、
前記第１カバーの突出部の突出寸法は、前記第２カバーの見付片部の厚さ寸法よりも大きい寸法とされていることを特徴とする枠カバー。
【発明の詳細な説明】
【技術分野】
【０００１】
本発明は、枠材を覆う枠カバーに関する。
【背景技術】
【０００２】
従来より、既設の枠材を模様替えや改装する場合には、既設の枠材を撤去し、新たな枠材を設置する改装工事が行われていたが、大掛かりな作業になるという問題があった。
例えば、下記特許文献１では、無目枠等の既存造作材の外表面を覆うリフォーム用上貼材が提案されている。この上貼材は、既存造作材の背面（壁側に向く見込面）から一方の側面（見付面）にかけてＬ字状に覆う第１上貼材の上記側面を覆う片部に、既存造作材の正面から上記側面にかけてＬ字状に覆う第２上貼材の上記側面を覆う片部が重ね合わせられる構成とされている。
【先行技術文献】
【特許文献】
【０００３】
【特許文献１】特開２０１３−２０９８６０号公報
【発明の概要】
【発明が解決しようとする課題】
【０００４】
しかしながら、上記特許文献１に記載された上貼材では、第２上貼材の上記側面を覆う片部が第１上貼材の上記側面を覆う片部に重ね合わせられるため、第２上貼材の上記側面を覆う片部の端部から第２上貼材が剥がれ易くなることが考えられる。また、第２上貼材の上記側面を覆う片部と第１上貼材の上記側面を覆う片部との段差が見付方向途中部位に位置することとなることも相俟って目立ち易くなるということも考えられる。
【０００５】
本発明は、上記実情に鑑みてなされたものであり、既設の枠材の模様替えや改装等の作業性の向上が可能でありながらも、脱離を抑制し得、かつ見栄え良く覆い得る枠カバーを提供することを目的としている。
【課題を解決するための手段】
【０００６】
上記目的を達成するために、本発明に係る枠カバーは、既設の枠材の表面を覆うように設けられる枠カバーであって、前記枠材の一方の見込面を覆うように配される見込片部及び該枠材の一方の見付面を覆うように配される見付片部を有した第１カバーと、前記枠材の他方の見込面を覆うように配される見込片部及び前記第１カバーの見付片部を覆うように配される見付片部を有した第２カバーと、を備えており、前記第２カバーの見付片部の裏面には、見付方向に間隔を空けて複数本の切断補助溝が設けられており、前記第１カバーにおける見込片部と見付片部との出隅部には、前記第２カバーの見付片部の先端部が突き合わせられる突出部が見込方向に突出するように設けられており、前記突出部は、見付方向に向く両側面のうちの一方面が前記第１カバーの見込片部の表面と同一平面状とされ、他方面が前記一方面に平行状の平坦面とされ、突出方向先端面が前記第１カバーの見付片部の表面と平行状とされ、かつ見付方向に沿う寸法が前記第１カバーの見込片部の厚さ寸法と同寸法とされていることを特徴とする。
【発明の効果】
【０００７】
本発明に係る枠カバーは、上述のような構成としたことで、既設の枠材の模様替えや改装等の作業性の向上が可能でありながらも、脱離を抑制することができ、また、見栄え良く覆うことができる。
【図面の簡単な説明】
【０００８】
【図１】（ａ）〜（ｃ）は、いずれも本発明の一実施形態に係る枠カバーの一例を模式的に示し、（ａ）は、同枠カバーが備える第１カバーの一例を模式的に示す概略平面図、（ｂ）は、同枠カバーが備える第２カバーの一例を模式的に示す一部破断概略平面図、（ｃ）は、図２のＸ部に対応させた一部破断概略拡大横断面図である。
【図２】同枠カバーを施工した状態の一例を模式的に示す一部破断概略横断面図である。
【図３】同枠カバーを施工した状態の他例を模式的に示す一部破断概略横断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る枠カバーを施工した状態を基準として上下方向等の方向を説明する。
【００１０】
図１〜図３は、本実施形態に係る枠カバーの一例及び枠カバーの施工状態の一例を模式的に示す図である。
本実施形態に係る枠カバー１は、図２に示すように、既設の枠材２の表面３，４，５を覆うように設けられる。図２では、当該枠カバー１を、壁体に設けられる出入口等の開口を区画する既設の枠材２としての縦枠２を覆うように設けた例を示している。また、図例では、縦枠２を、開き戸が建て付けられる戸枠を構成するものとした例を示している。
【００１１】
縦枠２は、図２に示すように、固定枠とされており、いわゆるちり部が見込方向（壁厚方向に沿う方向）両側に形成されるように、枠材厚さ方向（見付方向）一方面となる反出入口側に向く見込面を、適宜の枠下地に沿わせて枠下地に取り付けられる。つまり、縦枠２は、見込寸法（壁厚方向に沿う寸法）Ｄ１が壁体の壁厚よりも大きい寸法とされている。また、図例では、縦枠２の見込方向中心と壁体の壁心（壁体の厚さ方向中心）とを壁厚方向で略一致させて縦枠２を設けた例を示している。つまり、壁体の両側の壁面７，７からの縦枠２の見込方向両端部の各突出寸法（ちり寸法）Ｄ２，Ｄ２を、互いに同寸法とした例を示している。
【００１２】
また、縦枠２の出入口側に向く見込面側に、当該縦枠２の長手方向に沿って長尺な戸当り部材６を設けた例を示している。また、図例では、この戸当り部材６を、縦枠２の出入口側に向く見込面側における見込方向中央部位に設けた例を示している。つまり、縦枠２の出入口側に向く見込面を等分するように戸当り部材６を設けた例を示している。なお、以下の枠カバー１の具体的構成の一例の説明では、当該枠カバー１が覆う対象を、図２に示す縦枠２としてその参照符号を付して説明しているが、本実施形態に係る枠カバー１は、後述するように種々の枠材を覆い得る構成とされている。
【００１３】
本実施形態に係る枠カバー１は、図１（ｃ）及び図２に示すように、縦枠２の一方の見込面３を覆うように配される見込片部１１及び縦枠２の一方の見付面５を覆うように配される見付片部１４を有した第１カバー１０を備えている。また、枠カバー１は、縦枠２の他方の見込面４を覆うように配される見込片部２１及び第１カバー１０の見付片部１４を覆うように配される見付片部２４を有した第２カバー２０を備えている。
本実施形態では、枠カバー１を、上記のように壁体及び戸当り部材６によって見込方向に分断された縦枠２の見込方向両側のうちのいずれか一方の表面３，４，５を覆う構成としている。つまり、それぞれに第１カバー１０，１０と第２カバー２０，２０とを備えた２組の枠カバー１，１によって縦枠２の見込方向両側の表面３，４，５，３，４，５を覆う構成としている。なお、本実施形態では、これら見込方向両側の枠カバー１，１を、互いに同様の構成としているので、以下では、一方の枠カバー１を例にとって説明する。
【００１４】
また、本実施形態では、第１カバー１０を、その見込片部１１が壁面７から突出するちり部の反出入口側に向く一方の見込面としての壁体側面３を覆う構成としている。つまり、本実施形態では、第２カバー２０を、その見込片部２１が戸当り部材６によって分断された見込方向いずれか一方側における出入口側に向く他方の見込面としての出入口側面４を覆う構成としている。また、これら見込片部１１，２１によって覆われる壁体側面３及び出入口側面４に連なる見込方向いずれか一方側の見付面５を覆うように第１カバー１０の見付片部１４が配され、この見付片部１４を覆うように第２カバー２０の見付片部２４が配される。
【００１５】
これら第１カバー１０及び第２カバー２０は、縦枠２の長手方向（上下方向）に沿って長尺状とされ、全長に亘って一様な断面形状とされている。また、これら第１カバー１０及び第２カバー２０は、縦枠２の長さ寸法に応じた長さ寸法とされている。なお、これら第１カバー１０及び第２カバー２０は、適宜、施工現場等において縦枠２の長さ寸法に応じた長さに切断等されて長さ調整されるものとしてもよい。
また、これら第１カバー１０及び第２カバー２０のそれぞれの見込片部１１，２１及び見付片部１４，２４は、薄板状とされ、それぞれの見込片部１１，２１と見付片部１４，２４とを略直交状に設けた構成とされている。つまり、これら第１カバー１０及び第２カバー２０は、長手方向に見て略Ｌ字状とされている。
【００１６】
第１カバー１０の見込片部１１は、図１（ａ）、（ｃ）に示すように、本実施形態では、切断によって見込方向に沿う寸法の調整が可能とされている。本実施形態では、見込片部１１の壁体側面３に対面される裏面１２に、見込方向に間隔を空けて複数本の切断補助溝１３を設けた構成としている。これら切断補助溝１３は、第１カバー１０の長手方向に延びるように設けられ、第１カバー１０の全長に亘って設けられている。また、これら切断補助溝１３は、見込片部１１の裏面１２に、見込方向に等間隔を空けて設けられている。図例では、見込片部１１の見付片部１４側の端部（基端部）から先端部を除いた裏面１２の概ね全体に亘って複数本の切断補助溝１３を設けた例を示している。なお、このような態様に代えて、見込片部１１の裏面１２の先端側部位のみに複数本の切断補助溝１３を設けるようにしてもよい。
【００１７】
これら切断補助溝１３を設けるピッチ（隣り合う切断補助溝１３同士の溝幅方向中心間寸法）は、成形性や切断する際の作業性、寸法調整の度合等の観点から適宜、設定するようにしてもよい。例えば、上記ピッチを、０．５ｍｍ〜５ｍｍ程度、好ましくは、０．５ｍｍ〜２ｍｍ程度としてもよい。また、これら切断補助溝１３の溝深さ寸法は、切断する際の作業性や見込片部１１の強度上の観点、縦枠２に取り付けた状態における見栄え上の観点等から適宜、設定するようにしてもよい。例えば、切断補助溝１３の溝深さ寸法を、０．３ｍｍ〜２ｍｍ程度、好ましくは、０．５ｍｍ〜１ｍｍ程度としてもよい。また、上記のような観点等から見込片部１１の切断補助溝１３が設けられた部位の溝底側に残存する部位の厚さ寸法を、０．３ｍｍ〜２ｍｍ程度、好ましくは、０．５ｍｍ〜１ｍｍ程度としてもよい。つまり、見込片部１１の厚さ寸法（切断補助溝１３が形成された部位における切断補助溝１３間の部位の厚さ寸法）を、０．６ｍｍ〜４ｍｍ程度、好ましくは、１ｍｍ〜２ｍｍ程度としてもよい。
【００１８】
また、図例では、切断補助溝１３を、溝長手方向に見て、略Ｖ字溝形状としているが、このような態様に限られず、略Ｕ字溝形状や略コ字溝形状、略逆台形状等としてもよい。また、図例では、切断補助溝１３が形成された部位における切断補助溝１３間の裏面側部位を、尖頭形状とした例を示しているが、突湾曲面形状としたり、平坦面形状としたりしてもよい。
また、見込片部１１の見込方向に沿う寸法は、一般的に施工される縦枠２のうちの比較的にちり寸法Ｄ２が大きい寸法とされたものの壁体側面３を覆い得る寸法としてもよい。
この見込片部１１は、縦枠２のちり寸法Ｄ２に応じた見込寸法となるように切断補助溝１３に沿ってカッター等の切断具８によって切断され（図１（ａ）参照）、その先端部を壁面７に当接または近接させ、裏面１２を壁体側面３に沿わせて配される。
【００１９】
第１カバー１０の見付片部１４は、本実施形態では、見付面５に対面される裏面１５が平坦面とされた薄平板状とされている。この見付片部１４の厚さ寸法は、見込片部１１の厚さ寸法と略同寸法とされている。また、この見付片部１４の枠材厚さ方向に沿う寸法は、種々の厚さ寸法Ｗ１とされた縦枠２に適用可能なように、一般的に施工される縦枠２のうちの比較的に厚さ寸法Ｗ１が小さい寸法とされたものよりも小さい寸法とされている。つまり、見付片部１４は、見付面５の壁体側面３側から途中部位までを覆う構成とされている。なお、このような態様に代えて、見付片部１４の枠材厚さ方向に沿う寸法を比較的に大きくし、この見付片部１４の裏面１５に、上記同様の切断補助溝を設けた構成としてもよい。
【００２０】
また、第１カバー１０における見込片部１１と見付片部１４との出隅部には、第２カバー２０の見付片部２４の先端部が突き合わせられる突出部１６が見込方向に突出するように設けられている。
この突出部１６は、壁厚方向外方側に向けて突出するように設けられており、当該第１カバー１０の全長に亘って設けられている。また、この突出部１６は、枠材厚さ方向に沿う方向で反出入口側に向く面が見込片部１１の枠材厚さ方向に沿う方向で反出入口側に向く面（表面）と同一平面状（面一状）となるように、見込片部１１と見付片部１４との出隅部にこれらに一連状に形成されている。また、この突出部１６の枠材厚さ方向に沿う方向で出入口側に向く面は、突出部１６の上記反出入口側に向く面と平行状とされている。また、この突出部１６の突出方向先端面は、見付片部１４の枠材見込方向外方側に向く面（表面）と平行状とされている。つまり、この突出部１６は、長手方向に見て略矩形状とされている。
【００２１】
また、本実施形態では、この突出部１６の突出寸法（枠材見込方向に沿う寸法）を、後記する第２カバー２０の見付片部２４の厚さ寸法よりも大きい寸法としている。
この突出部１６の突出寸法は、出入口側に向く面に突き合わせられる第２カバー２０の見付片部２４の先端面を目立ち難くする観点や、見付片部２４との段差を小さくする観点等から適宜、設定するようにしてもよい。例えば、この突出部１６の突出寸法を、第２カバー２０の見付片部２４の厚さ寸法の２倍未満としてもよく、好ましくは、見付片部２４の厚さ寸法の１．１〜１．５倍程度としてもよい。
また、図例では、突出部１６の厚さ寸法（枠材厚さ方向に沿う寸法）を、見込片部１１の厚さ寸法と略同寸法とした例を示している。
なお、この突出部１６は、出入口側に向く面に第２カバー２０の見付片部２４の先端面が突き合わせられるように出入口側に向く面を平坦面とすればよく、反出入口側に向く面と先端面との出隅部を、適宜の面取り形状等としてもよい。
【００２２】
第２カバー２０の見込片部２１は、図１（ｂ）、（ｃ）に示すように、本実施形態では、第１カバー１０の見込片部１１と概ね同様、切断によって見込方向に沿う寸法の調整が可能とされている。本実施形態では、見込片部２１の出入口側面４に対面される裏面２２に、見込方向に間隔を空けて、上記と概ね同様の複数本の切断補助溝２３を設けた構成としている。これら切断補助溝２３は、第２カバー２０の長手方向に延びるように設けられ、第２カバー２０の全長に亘って設けられている。また、図例では、見込片部２１の裏面２２の先端部及び基端側部位に切断補助溝を設けずに、先端側部位のみに複数本の切断補助溝２３を設けた例を示しているが、上記同様、裏面２２の概ね全体に亘って複数本の切断補助溝２３を設けるようにしてもよい。
【００２３】
また、この見込片部２１の見込方向に沿う寸法は、一般的に施工される縦枠２のうちの比較的に見込寸法Ｄ１が大きい寸法とされたものの出入口側面４を覆い得る寸法としてもよい。
この見込片部２１は、縦枠２の出入口側面４の見込寸法（戸当り部材６の見込方向一方側面から見込方向一方側の見付面５までの見込方向に沿う寸法）に応じた見込寸法となるように切断補助溝２３に沿ってカッター等の切断具８によって切断される（図１（ｂ）参照）。また、見込片部２１は、裏面２２を出入口側面４に沿わせて配される。また、図例では、寸法調整された見込片部２１の先端部を戸当り部材６に当接または近接させて配されるものとした例を示している。
【００２４】
第２カバー２０の見付片部２４は、本実施形態では、切断によって枠材厚さ方向に沿う寸法の調整が可能とされている。本実施形態では、見込片部２４の見付面５側に向く裏面２５に、枠材厚さ方向に間隔を空けて、上記と概ね同様の複数本の切断補助溝２６を設けた構成としている。これら切断補助溝２６は、上記同様、第２カバー２０の長手方向に延びるように設けられ、第２カバー２０の全長に亘って設けられている。また、図例では、見付片部２４の裏面２５の基端側部位に切断補助溝を設けずに、先端側部位のみに複数本の切断補助溝２６を設けた例を示しているが、上記同様、裏面２５の概ね全体に亘って複数本の切断補助溝２６を設けるようにしてもよい。
【００２５】
また、この見付片部２４の枠材厚さ方向に沿う寸法は、一般的に施工される縦枠２のうちの比較的に厚さ寸法Ｗ１が大きい寸法とされたものの見付面５を覆うように配された第１カバー１０の見付片部１４を覆い得る寸法としてもよい。つまり、上記のように突出部１６の厚さ寸法を見込片部１１の厚さ寸法と略同寸法とした場合には、見付片部２４の枠材厚さ方向に沿う寸法を、一般的に施工される縦枠２のうちの比較的に大とされた厚さ寸法Ｗ１に応じた寸法としてもよい。
この見付片部２４は、縦枠２の出入口側面４から第１カバー１０の突出部１６の出入口側に向く面までの枠材厚さ方向に沿う寸法に応じた枠材厚さ方向に沿う寸法となるように切断補助溝２６に沿ってカッター等の切断具８によって切断される（図１（ｂ）参照）。また、このように寸法調整された見付片部２４は、その先端部を突出部１６に当接または近接させ、裏面２５を第１カバー１０の見付片部１４の表面に沿わせて配される。
また、これら見込片部２１及び見付片部２４の厚さ寸法は、上記同様の観点等から適宜、設定するようにしてもよく、図例では、互いに同厚さ寸法とし、第１カバー１０の各片部１１，１４と同厚さ寸法とした例を示している。
【００２６】
また、縦枠２の出入口側面４と見付面５との出隅部に面取り部が設けられている場合には、この面取り部に対応させて、これら見込片部２１と見付片部２４との出隅部にも面取り部を設けるようにしてもよい。
また、第１カバー１０及び第２カバー２０は、合成樹脂系材料や、木質系材料、金属系材料等から形成されたものとしてもよい。また、第１カバー１０及び第２カバー２０は、例えば、合成樹脂系材料に、木粉や無機フィラー、相溶化剤、着色剤などを所定の含有割合で含有させた木粉（木質）・プラスチック複合材（ＷＰＣ）から形成されたものとしてもよい。
また、これら第１カバー１０及び第２カバー２０は、粘着テープ等の粘着材や接着剤等によって縦枠２に固定されるものとしてもよい。
また、これら第１カバー１０及び第２カバー２０における少なくとも縦枠２に取り付けられた状態で露出する表面を、突板や合成樹脂シート等の貼着や、塗装等によって表面化粧処理が施された化粧面としてもよい。
【００２７】
次に、上記構成とされた枠カバー１の施工方法の一例及び施工した状態の一例を、図２及び図３を参照して説明する。
なお、図３では、図２に示す縦枠２の見込寸法Ｄ１よりも見込寸法Ｄ３が大とされ、図２に示す縦枠２のちり寸法Ｄ２よりもちり寸法Ｄ４が小とされ、図２に示す縦枠２の厚さ寸法Ｗ１よりも厚さ寸法Ｗ２が大とされた縦枠２Ａを例示している。
まず、第１カバー１０の見込片部１１の見込寸法を、縦枠２，２Ａのちり寸法Ｄ２，Ｄ４に応じた寸法となるように切断して調整する。そして、この第１カバー１０の見込片部１１と見付片部１４との入隅部を、縦枠２，２Ａの壁体側面３，３Ａと見付面５，５Ａとの出隅部に沿わせるようにして第１カバー１０を縦枠２，２Ａに固定する。この際、第１カバー１０の各片部１１，１４の先端部の裏面１２，１５を粘着テープ等によって仮固定し、各片部１１，１４の基端側部位の裏面１２，１５に塗布された接着剤によって第１カバー１０を縦枠２，２Ａに固定するようにしてもよい。このように第１カバー１０が縦枠２，２Ａに取り付けられた状態では、第１カバー１０の見込片部１１の先端部が壁面７に近接または当接した状態となる。
【００２８】
また、第２カバー２０の見込片部２１の見込寸法を、縦枠２，２Ａの出入口側面４，４Ａの見込寸法に応じた寸法となるように切断して調整する。また、第２カバー２０の見付片部２４の枠材厚さ方向に沿う寸法を、縦枠２，２Ａの出入口側面４，４Ａから第１カバー１０の突出部１６の出入口側に向く面までの枠材厚さ方向に沿う寸法に応じた寸法となるように切断して調整する。そして、この第２カバー２０の見込片部２１と見付片部２４との入隅部を、縦枠２，２Ａの出入口側面４，４Ａと見付面５，５Ａとの出隅部に沿わせるようにして第２カバー２０を縦枠２，２Ａに固定する。この際、第２カバー２０の各片部２１，２４の先端部の裏面２２，２５を粘着テープ等によって仮固定し、各片部２１，２４の基端側部位の裏面２２，２５に塗布された接着剤によって第２カバー２０を第１カバー１０及び縦枠２，２Ａに固定するようにしてもよい。この状態では、第２カバー２０の見込片部２１の先端部が戸当り部材６に近接または当接し、また、見付片部２４が第１カバー１０の見付片部１４に重ね合わせられ、この見付片部２４の先端部が第１カバー１０の突出部１６に近接または当接した状態となる。
【００２９】
なお、縦枠２，２Ａに、蝶番等の回動連結部材や、ラッチ受け、錠装置等が取り付けられている場合には、これらに枠カバー１が干渉しないように、枠カバー１に、適宜、切欠きや開口等を設けるようにしてもよい。
また、上記した例では、第２カバー２０の見込片部２１の先端部を、戸当り部材６に近接または当接させた例を示しているが、このような態様に限られない。例えば、戸当り部材６も模様替えや改装等の対象とする場合には、既設の戸当り部材６を覆う略コ字状のカバーを設け、このカバーの一片部によって第２カバー２０の見込片部２１の先端部を押さえるように納めるような態様等としてもよい。または、既設の戸当り部材６を除去し、新たに設置される戸当り部材の一側部によって第２カバー２０の見込片部２１の先端部を押さえるように納めるような態様等としてもよい。
【００３０】
本実施形態に係る枠カバー１は、上述のような構成としたことで、既設の枠材２，２Ａの模様替えや改装等の作業性の向上が可能でありながらも、脱離を抑制することができ、また、見栄え良く覆うことができる。
つまり、見込片部１１及び見付片部１４を有した第１カバー１０と、見込片部２１及び第１カバー１０の見付片部１４を覆うように配される見付片部２４を有した第２カバーと、を備えた構成としている。従って、これらカバー１０，２０によって既設の枠材（縦枠）２，２Ａの表面（壁体側面、出入口側面及び見付面）３，３Ａ，４，４Ａ，５，５Ａを覆うことができる。これにより、例えば、既設の枠材２，２Ａを撤去して改装工事等をする場合と比べて、既設の枠材２，２Ａの模様替えや改装等の作業性を向上させることができる。
【００３１】
また、第１カバー１０における見込片部１１と見付片部１４との出隅部に、第２カバー２０の見付片部２４の先端部が突き合わせられる突出部１６を見込方向に突出させるように設けている。従って、第２カバー２０の見付片部２４の先端部を第１カバー１０の突出部１６に突き合わせることで、第２カバー２０の見付片部２４への引っ掛かり等に起因する剥がれ等を抑制することができ、脱離を抑制することができる。また、第１カバー１０の突出部１６を、第１カバー１０における見込片部１１と見付片部１４との出隅部に設けているので、見付方向途中部位において段差が形成されるようなものと比べて、カバー同士の継目を目立ち難くすることができ、見栄えを向上させることができる。
また、第１カバー１０と第２カバー２０とを互いの見付片部１４，２４同士を重ね合わせ、各カバー１０，２０の見込片部１１，２１を、既設の枠材２，２Ａの各見込面３，３Ａ，４，４Ａに当接させるようにして取り付けられる構成としている。従って、例えば、反壁体側の見込面（出入口側面）４，４Ａにおいて重ね合わせられるようなものと比べて、開口幅や開口高が小さくなるようなことを抑制することができる。
【００３２】
また、本実施形態では、第１カバー１０の見込片部１１の裏面１２に、見込方向に間隔を空けて複数本の切断補助溝１３を設けている。従って、第１カバー１０の見込片部１１を切断補助溝１３に沿って切断することで、第１カバー１０の見込片部１１の見込方向に沿う寸法を、容易に調整することができる。これにより、上述のように、種々のちり寸法Ｄ２，Ｄ４とされた既設の枠材２，２Ａに対して容易に適用することができ、汎用性を向上させることができる。なお、このような切断補助溝１３を第１カバー１０の見込片部１１に設けないようにしてもよい。
【００３３】
また、本実施形態では、第２カバー２０の見込片部２１の裏面２２に、見込方向に間隔を空けて複数本の切断補助溝２３を設けている。従って、上記同様、第２カバー２０の見込片部２１を切断補助溝２３に沿って切断することで、第２カバー２０の見込片部２１の見込方向に沿う寸法を、容易に調整することができる。これにより、上述のように、種々の見込寸法Ｄ１，Ｄ３とされた既設の枠材２，２Ａに対して容易に適用することができ、汎用性を向上させることができる。なお、このような切断補助溝２３を第２カバー２０の見込片部２１に設けないようにしてもよい。
【００３４】
また、本実施形態では、第２カバー２０の見付片部２４の裏面２５に、見付方向（枠材厚さ方向に沿う方向）に間隔を空けて複数本の切断補助溝２６を設けている。従って、第２カバー２０の見付片部２４を切断補助溝２６に沿って切断することで、第２カバー２０の見付片部２４の見付方向に沿う寸法を、容易に調整することができる。これにより、上述のように、種々の厚さ寸法Ｗ１，Ｗ２とされた既設の枠材２，２Ａに対して容易に適用することができ、汎用性を向上させることができる。また、このように第２カバー２０の見付片部２４を切断した場合にも、その切断面となる先端部が第１カバー１０の突出部１６に突き合わせられるため、切断面を目立ち難くすることができる。なお、このような切断補助溝２６を第２カバー２０の見付片部２４に設けないようにしてもよい。
【００３５】
また、本実施形態では、第１カバー１０の突出部１６の突出寸法を、第２カバー２０の見付片部２４の厚さ寸法よりも大きい寸法としている。従って、第２カバー２０の見付片部２４の先端部の露出を効果的に抑制することができる。なお、このような態様に代えて、第１カバー１０の突出部１６の突出寸法を、第２カバー２０の見付片部２４の厚さ寸法と概ね同寸法としてもよく、また、突出部１６の突出寸法を、第２カバー２０の見付片部２４の厚さ寸法よりも僅かに小さい寸法としてもよい。
【００３６】
また、本実施形態では、突出部１６が枠材厚さ方向における反出入口（反開口）側の出隅部に位置するように、第１カバー１０が縦枠２，２Ａの壁体側面３，３Ａを覆う構成としている。従って、例えば、突出部１６が枠材厚さ方向における出入口（開口）側の出隅部に位置するものとした場合と比べて、出入や開閉等する際における突出部１６への引っ掛かり等を抑制することができる。また、突出部１６やこの突出部１６と第２カバー２０の見付片部２４の先端部との段差等を目立ち難くすることができる。なお、このような態様に代えて、突出部１６が枠材厚さ方向における出入口側の出隅部に位置するように、第１カバー１０が縦枠２，２Ａの出入口側面４，４Ａを覆う構成としてもよい。つまり、第２カバー２０を縦枠２，２Ａの壁体側面３，３Ａを覆うものとしてもよい。この場合は、各カバー１０，２０の見込片部１１，２１の見込寸法等を、適宜、変形するようにしてもよい。
【００３７】
また、上記した例では、枠カバー１を、左右方向一方の縦枠２，２Ａに取り付けたような例を示しているが、左右一対のそれぞれの縦枠２，２Ａに取り付けるようにしてもよい。また、当該枠カバー１によって覆われる枠材としては、縦枠２，２Ａに限られず、縦枠２，２Ａに代えて、または加えて、上枠や下枠等の横枠としてもよい。この場合は、縦枠を覆う枠カバー１の長手方向端部と横枠を覆う枠カバー１の長手方向端部とを、例えば、留め継ぎ状や平継ぎ状に突き合わせるようにして納めるようにしてもよい。これらの場合は、適宜、枠カバー１の長手方向端部を切断等によって変形するようにしてもよい。
【００３８】
また、上記した例では、戸当り部材６を、縦枠２，２Ａの見込方向中央部位に設け、見込方向両側の出入口側面４，４Ａの見込寸法を同寸法とした例を示しているが、このような態様に限られない。例えば、戸当り部材６を、縦枠２，２Ａの見込方向一方側に寄った部位に設けるようにしてもよい。この場合は、出入口側面４，４Ａを覆うカバー２０（１０）の見込片部２１（１１）の見込寸法等を、適宜、変形するようにしてもよい。
また、上記した例では、枠材２，２Ａを、開き戸が建て付けられる戸枠を構成するものとした例を示しているが、このような態様に限られず、折戸や引戸等の他の建具が建て付けられる戸枠を構成するものとしてもよい。また、枠材２，２Ａとしては、戸枠を構成するものに限られず、窓枠や無目枠等を構成するものとしてもよい。例えば、既設の枠材２，２Ａを、窓枠を構成するものとした場合は、枠カバー１を、窓枠の見込方向一方側のみに設けるようにしてもよい。
【符号の説明】
【００３９】
１        枠カバー
１０      第１カバー
１１      見込片部
１４      見付片部
１６      突出部
２０      第２カバー
２１      見込片部
２４      見付片部
２５      裏面
２６      切断補助溝
２，２Ａ  縦枠（既設の枠材）
３，３Ａ  壁体側面（一方の見込面、表面）
４，４Ａ  出入口側面（他方の見込面、表面）
５，５Ａ  見付面（一方の見付面、表面）
【図１】
0006384811.tif 000002
【図２】
0006384811.tif 000003
【図３】
0006384811.tif 000004